(57)【要約】【課題】布団・毛布・服類の臭・菌・花粉・黄砂・埃・湿気の除去装置【解決手段】密閉された箱の中で、布団３に布団３と同じ幅のエアー吹き出し口１４で強い風を送り、布団３の奥にある菌や埃を取り出し、フィルター９・１０で菌・埃をキャッチし、オゾンで布団３に付着している臭いを取り去る。又、エアー吹き出し口１４は上下に動くので布団３の全面に斑無く強い風を送る事ができる。【選択図】図１
0003145573.tif 000002
【実用新案登録請求の範囲】
【請求項１】
布団３に斑無く風を吹き付ける為に、上下に移動するエアー吹き出し口１４を可動させるモーター７を設けた設備
【請求項２】
布団３に直接斑無く紫外線を当てる上下に移動する紫外線１３を設けた装置
【請求項３】
布団３に吹き付けた風が、吹き溜まり無くスムーズに排水管に流れ込むように曲線を持った内装１６を設けた装置
【請求項４】
風で吹き飛ばされた埃・花粉・黄砂をキャッチする、花粉・黄砂フィルター９を設けた装置
【請求項５】
風で吹き飛ばされた臭いをキャッチする、臭いフィルター１０を設けた装置
【請求項６】
布団３に付いた臭いを直接脱臭する、オゾン発生器１７を設けた装置
【請求項７】
布団３に付いた湿気を取り除くヒーター１２を設けた装置
【請求項８】
送風機１１からの風を全体に届ける為に、布団３の幅と同じ吹き出し幅を持つエアー吹き出し口１４を設けた装置
【請求項９】
布団３に強い風を吹き付けた際、布団３が片寄ったり暴れたりしないように、エアー吹き出し口１４を両側に設けた装置
【考案の詳細な説明】
【技術分野】
【０００１】本考案は布団・毛布・服類に付着した臭・菌・花粉・黄砂・埃・湿気を一度に除去する装置に関するものである。
【背景技術】
【０００２】密閉された袋の中や箱の中で、風を送り込んで風を攪拌しながらオゾン・紫外線で殺菌を行い、又熱風を送りこんで除湿を行っていた。【０００３】特許出願平５−２３３５４３のように上下のノズルから噴射する装置はある。
【考案の開示】
【考案が解決しようとする課題】
【０００４】しかしながら、このような方法では一般の家庭では布団・毛布・服類の臭・菌・花粉・黄砂・埃・湿気の除去を一度に確実に斑無く行うことは難しい。【０００５】又、これらの装置は毛布・服類の中の深い部分の菌や埃を取り出す事はできない。
【課題を解決するための手段】
【０００６】上記の目的を達成する本考案の構成を説明すると、図１の布団３にエアー吹き出し口１４から圧力の強い風を両側から吹き付けるエアー吹き出し口１４は布団３の幅と同じ幅で風を吹き出し、エアー吹き出し口１４は静かに上下移動する。紫外線１３も布団３と同じ幅で設け静かに上下移動する。エアー吹き出し口１４と紫外線を上下に動かすモーター７と歯車５とチエン６を設ける。内装１６は風の流れを良くする為にコーナー部分を曲線にする。布団掛け棒４は、人の手で掛けやすい位置に設ける。舞い上がった埃などは排気管８へ流れ、花粉・黄砂フィルター９を流れ臭いフィルター１０を流れ出る。オゾン発生器１７で排気管８にオゾンを送り込み送風機１１でエアー吹き出し口１４へと送る。又、湿気を取る為に排気管８の途中にヒーター１２を設ける。
【考案の効果】
【０００７】布団３と同じ幅のエアー吹き出し口１４から強い圧力の風が吹き出し、上下にエアー吹き出し口１４が移動するので全く斑の無い風による洗浄ができる。又、強い風圧で奥の菌・花粉・埃類を吹き出す事ができる。【０００８】エアー吹き出し口１４が両側に設けてある為、真ん中にある布団３は大きく片寄ったり暴れたりする事が無い。【０００９】紫外線１３はエアー吹き出し口１４と同じ動きをする為に、エアー吹き出し口１４から出る強い風で開いた奥まで、光を照射して中の菌を殺す事ができる。【００１０】この装置は、布団・毛布だけでなくハンガーに掛ければ服も又、置き台を設ければ靴帽子・ぬいぐるみにも利用できる。【００１１】内装１６のコーナーを曲線にする事で風の流れがスムーズで、風溜りを無くし排気管８へ流れて行く。その為に、後の手入れ掃除がしやすく清潔である。【００１２】エアー吹き出し口１４の風の温度をヒーター１２で高くする事で、布団３の湿気を取る事ができ、布団３がふっくらとなる。【００１３】吹き飛ばした風の菌や花粉・埃類を花粉・黄砂フィルター９でキャッチして取り除く事ができる。【００１４】吹き飛ばした風の臭いを臭フィルター１０でキャッチして取り除く事ができる。【００１５】布団３に付着している臭いを、オゾン発生器１７で取り除く事ができる。
【考案を実施するための最良の形態】
【００１６】この装置は、家庭内のタンス程度の大きさにし手前側に扉２を儲け、アコーディオンカーテンなみの広い間口とする。その下に、フィルター交換用の扉１８を設ける。
スイッチ１５には、電源・タイマー・風の圧力計などのスイッチを上部に設け扉１・２を閉めないと出来なくする。布団３掛け棒４は。布団３を人の手で掛けやすい位置とし、布団３にエアー吹き出し口１４の風が全体に当たる位置とする。エアー吹き出し口１４の上下の移動は、モーター７を使いチエン６と歯車５の連動で動くようにする。【００１７】布団３に付着した臭・菌・花粉・黄砂・埃・湿気をエアー吹き出し口１４からでる送風機１１からの強い風で吹き出す。吹き出した風は臭いや埃と一緒に排気管８に送り込みフィルター９・１０でキャッチする。フィルターは手軽に交換できるようにし、専用の扉１８を設ける。【００１８】オゾン発生器１７は、強い風でも取れない布団３に付着した臭いを取る為に設ける。
ヒーター口の熱風により布団３の湿気を取り除く事もできる。又、内装１６を埃の付きにくい材質にし、コーナーを大きな曲線にする事で後の手入れ掃除がし易くなる。
【産業上の利用可能性】
【００１９】以上説明したように、布団類を外に干したり叩いたり出来ないマンションや、外に干しても逆に花粉や黄砂が付いてしまったり、叩いても埃や菌を完全に取り除くことは出来ない為、花粉症や喘息の病気になったり、部屋の中が埃で不衛生になってしまう。
この装置を利用することで、部屋を清潔に保ち病気にならない生活を送る事ができる。
又、外出先から帰った服もこの中で除臭・除菌ができる。
【図面の簡単な説明】
【００２０】
【図１】本体正面図・正面断面図
【図２】側面断面図
【符号の説明】
【００２１】  １      本体                      １１      送風機
２      扉                        １２      ヒーター
３      布団                      １３      紫外線
４      布団掛け棒                １４      エアー吹き出し口
５      歯車                      １５      スイッチ
６      チエン                    １６      内袋
７      モーター                  １７      オゾン発生器
８      排気管                    １８      フィルター扉
９      花粉・黄砂フィルター
１０      臭いフィルター
【図１】
0003145573.tif 000003
【図２】
0003145573.tif 000004
【手続補正書】
【提出日】平成20年7月14日(2008.7.14)
【手続補正１】
【補正対象書類名】実用新案登録請求の範囲
【補正対象項目名】請求項２
【補正方法】変更
【補正の内容】
【請求項２】
布団３に直接斑無く紫外線を当てる為、エアー吹き出し口１４と同じようにモーター７で、上下に移動する紫外線１３を設けた請求項１の装置
【手続補正２】
【補正対象書類名】実用新案登録請求の範囲
【補正対象項目名】請求項３
【補正方法】変更
【補正の内容】
【請求項３】
布団３にエアー吹き出し口１４から吹き付けた風が、吹き溜まり無くスムーズに排気管８に流れ込むような曲線をした内装１６を設けた請求項１の装置
【手続補正３】
【補正対象書類名】実用新案登録請求の範囲
【補正対象項目名】請求項４
【補正方法】変更
【補正の内容】
【請求項４】
風で吹き飛ばされた埃・花粉・黄砂をキャッチする、花粉・黄砂フィルター９を排気管８の最初の部位に設けた請求項１の装置
【手続補正４】
【補正対象書類名】実用新案登録請求の範囲
【補正対象項目名】請求項５
【補正方法】変更
【補正の内容】
【請求項５】
エアー吹き出し口１４から吹き付けられた風で吹き飛ばされた布団３の臭いをキャッチする、臭いフィルター１０を排気管８の花粉・黄砂フィルター９の後に設けた請求項１の装置
【手続補正５】
【補正対象書類名】実用新案登録請求の範囲
【補正対象項目名】請求項６
【補正方法】変更
【補正の内容】
【請求項６】
エアー吹き出し口１４から吹き付けられた風で、吹き飛ばされた空気中の菌を殺菌するオゾン発生器１７を排気管８の臭いフィルター１０の後に設けた請求項１の装置
【手続補正６】
【補正対象書類名】実用新案登録請求の範囲
【補正対象項目名】請求項７
【補正方法】変更
【補正の内容】
【請求項７】
布団３にエアー吹き出し口１４から風を送りだす為に、排気管８のオゾン発生器１７の後に設けた、吸い込みと吹き出しを備えた送風機１１を設けた請求項１の装置
【手続補正７】
【補正対象書類名】実用新案登録請求の範囲
【補正対象項目名】請求項８
【補正方法】変更
【補正の内容】
【請求項８】
布団３の湿気をとる為、エアー吹き出し口１４に風を送る排気管８の送風機１１の後に、ヒーター１２を設けた請求項１の装置
【手続補正８】
【補正対象書類名】実用新案登録請求の範囲
【補正対象項目名】請求項９
【補正方法】変更
【補正の内容】
【請求項９】
布団３にエアー吹き出し口１４からの強い風を吹き付けた際、布団３が片寄ったり暴れたりしないように、エアー吹き出し口１４を両側に設けた請求項１の装置
【手続補正９】
【補正対象書類名】明細書
【補正対象項目名】０００４
【補正方法】変更
【補正の内容】
【０００４】  しかしながら、このような方法では一般の家庭では布団・毛布・服類の臭・菌・花粉・黄砂・埃・湿気の除去を一度に確実に斑無く行うことは難しい。又、これらの装置は毛布・服類の中の深い部分の菌や埃を取り出す事はできない。
【手続補正１０】
【補正対象書類名】明細書
【補正対象項目名】０００５
【補正方法】変更
【補正の内容】
【０００５】本考案は、布団や毛布、外出先から帰った際の服・帽子・靴の臭・菌・花粉・黄砂・湿気・埃を一度に処理する装置を提供することにある。
【手続補正１１】
【補正対象書類名】明細書
【補正対象項目名】０００６
【補正方法】変更
【補正の内容】
【０００６】  上記の目的を達成する本考案の構成を説明すると、図１の布団３にエアー吹き出し口１４から圧力の強い風を両側から吹き付ける。エアー吹き出し口１４は布団３の幅と同じ幅で風を吹き出し、エアー吹き出し口１４は歯車５により静かに上下移動する。紫外線１３も布団３と同じ幅で設け、歯車５によりエアー吹き出し口１４と一緒に静かに上下移動する。エアー吹き出し口１４と紫外線１３を上下に動かすモーター７と歯車５とチエン６を設ける。内装１６は風の流れを良くする為にコーナー部分を曲線にする。布団掛け棒４は、人の手で掛けやすい位置に設ける。送風機１１から送られた風は，エアー吹き出し口１４から出て布団３に吹き付ける。吹き付けて舞い上がった埃などは排気管８へ流れ、花粉・黄砂フィルター９を通り臭いフィルター１０を流れ出る。
排気管８の途中に設けたオゾン発生器１７でオゾンを送り込み送風機１１でエアー吹き出し口１４へと送る。又、布団に付いた湿気を取る為に排気管８の途中にヒーター１２を設ける。
【手続補正１２】
【補正対象書類名】明細書
【補正対象項目名】０００８
【補正方法】変更
【補正の内容】
【０００８】  エアー吹き出し口１４が両側に設けてある為、中央にある布団３は大きく片寄ったり暴れたりする事がない。
【手続補正１３】
【補正対象書類名】明細書
【補正対象項目名】００１３
【補正方法】変更
【補正の内容】
【００１３】エアー吹き出し口１４からの強い風で吹き飛ばした布団３の菌・花粉・埃類を排気管８の途中にある花粉・黄砂フィルター９でキャッチして取り除く事ができる。
【手続補正１４】
【補正対象書類名】明細書
【補正対象項目名】００１４
【補正方法】変更
【補正の内容】
【００１４】エアー吹き出し口１４からの強い風で吹き飛ばした布団３の臭いを排気管８の途中にある臭フィルター１０でキャッチして取り除く事ができる。
【手続補正１５】
【補正対象書類名】明細書
【補正対象項目名】００１５
【補正方法】変更
【補正の内容】
【００１５】エアー吹き出し口１４からの強い風でも取れない布団３に付着している臭いを排気管８の途中にあるオゾン発生器１７で取り除く事ができる。
【手続補正１６】
【補正対象書類名】明細書
【補正対象項目名】００１６
【補正方法】変更
【補正の内容】
【００１６】  この装置は、家庭内のタンス程度の大きさにし、手前側に扉２を設け広い間口とする。その下に、フィルター交換用の扉１８を設ける。スイッチ１５には、電源・タイマー・風圧計などのスイッチを設け、扉２を閉めないと電源のスイッチが入らず作動しない。布団掛け棒４は、布団３を人の手で掛けやすい位置とし、布団３にエアー吹き出し口１４の風が全体に当たる位置とする。エアー吹き出し口１４の上下移動は、モーター７を使いチエン６と歯車５の連動で動くようにする。
【手続補正１７】
【補正対象書類名】明細書
【補正対象項目名】００１７
【補正方法】変更
【補正の内容】
【００１７】  布団３に付着した臭・菌・花粉・埃・湿気をエアー吹き出し口１４からでる送風機１１からの強い風で掃き出し、掃き出した風は臭いや埃と一緒に排気管８に送り込みフィルター９・１０でキャッチする。フィルターは手軽に交換できるようにし専用の扉１８を設ける。
【手続補正１８】
【補正対象書類名】明細書
【補正対象項目名】００１８
【補正方法】変更
【補正の内容】
【００１８】  オゾン発生器１７は、強い風でも取れない布団３に付着した臭いを取る為に設ける。ヒーター１２から出る熱風をエアー吹き出し口１４から布団３に吹き付けることで、布団３の湿気を取り除く事もできる。又内装１６を埃の付きにくい材質にし、コーナーを大きな曲線にすることで後の手入れ掃除がし易くなる。
【手続補正１９】
【補正対象書類名】明細書
【補正対象項目名】００２０
【補正方法】変更
【補正の内容】
【００２０】
【図１】  本体正面図・正面断面図エアー吹き出し口１４・紫外線１３拡大図
【手続補正２０】
【補正対象書類名】図面
【補正対象項目名】図１
【補正方法】変更
【補正の内容】
【図１】
0003145573.tif 000005
【手続補正２１】
【補正対象書類名】図面
【補正対象項目名】図２
【補正方法】変更
【補正の内容】
【図２】
0003145573.tif 000006